(57)【要約】【課題】  複数のファンを積層配置することによって外装筐体内部のスペースを有効に利用して小型化を図ることができ、また、複数のファンを積層配置しても、これらの駆動に伴う振動を効果的に吸収して騒音の発生を抑制することができるプロジェクタを提供すること。【解決手段】  シロッコファン７３およびシロッコファン７５が積層された状態で、相互をファン固定部材７６によって固定する。シロッコファン７３と外装筐体２の底面との間には振動吸収用のクッション７８を配置し、シロッコファン７３とシロッコファン７５との間には振動吸収用のクッション７９を配置する。【選択図】  図１７
2006343566.tif 000002
【特許請求の範囲】
【請求項１】
光源装置と、当該光源装置から射出された光束を画像情報に応じて変調する光変調装置と、当該光変調装置によって変調された光束を拡大投射する投射光学装置とを含む画像投射装置と、当該画像投射装置を収納する外装筐体とを備えるプロジェクタであって、
ファン回転軸に略垂直な吸気面を有し、当該吸気面から吸引した空気を前記ファン回転軸の回転接線方向に沿って吐出する第１遠心力ファンおよび第２遠心力ファンを含んで構成され、当該各遠心力ファンから吐出された空気によってプロジェクタにおける各冷却対象を冷却するファン装置を備え、
当該ファン装置は、
前記第１遠心力ファンの吸気面が前記外装筐体の底面に略平行になるように当該第１遠心力ファンを当該外装筐体の底面に対して固定するとともに、前記第２遠心力ファンの吸気面が前記外装筐体の底面に略平行になるように、かつ、当該第２遠心力ファンが前記第１遠心力ファンに対して前記外装筐体の底面に略垂直な積層方向に沿って積層するように、当該第２遠心力ファンを前記第１遠心力ファンに対して固定するファン固定部材と、
前記外装筐体の底面に近い側に配置される前記第１遠心力ファンと当該底面との間に配置されて振動を吸収する第１吸振部材と、
前記外装筐体の底面から遠い側に配置される前記第２遠心力ファンと、当該底面に近い側に配置される前記第１遠心力ファンとの間に配置されて振動を吸収する第２吸振部材と、
を備えることを特徴とするプロジェクタ。
【請求項２】
請求項１に記載のプロジェクタにおいて、
前記ファン固定部材において前記第１遠心力ファンおよび前記第２遠心力ファンの少なくともいずれかの冷却対象に近い側には、当該冷却対象にて温められた高温空気を遮蔽し、当該高温空気を前記第１遠心力ファンおよび前記第２遠心力ファンの少なくともいずれかが吸引するのを防止する高温空気遮蔽部が形成されている、
ことを特徴とするプロジェクタ。
【請求項３】
請求項１または請求項２に記載のプロジェクタにおいて、
前記ファン固定部材は、前記第１遠心力ファンと前記第２遠心力ファンとが前記積層方向に沿って所定間隔離間して積層するように相互を固定し、
前記第２遠心力ファンの吸気面は、前記ファン固定部材によって前記第１遠心力ファンと前記第２遠心力ファンとの間に形成されたファン間スペースと対向されている、
ことを特徴とするプロジェクタ。
【請求項４】
請求項１から請求項３のいずれかに記載のプロジェクタにおいて、
前記画像投射装置は、略Ｌ字形状を有し、前記光源装置，前記光変調装置，前記投射光学装置は、当該画像投射装置における略Ｌ字形状の一端側から他端側に向かって順次配置され、
前記画像投射装置の略Ｌ字形状の内側には、前記プロジェクタの各構成要素に電力を供給する電源装置が配置され、
前記画像投射装置を間に挟んで前記電源装置と対向される位置であって、前記画像投射装置の略Ｌ字形状の一端側近傍位置には、前記ファン装置が配置され、
前記画像投射装置の周囲のスペースを通過するように形成され、当該画像投射装置を間に挟んで前記ファン装置と前記電源装置とを接続する吸気ダクトが形成され、
前記第１遠心力ファンおよび前記第２遠心力ファンのいずれか一方は、前記吸気ダクトを介して前記電源装置に向かって空気を吐出し、
前記第１遠心力ファンおよび前記第２遠心力ファンのいずれか他方は、前記光源装置に向かって空気を吐出する、
ことを特徴とするプロジェクタ。
【発明の詳細な説明】
【技術分野】
【０００１】
本発明は、プロジェクタに関する。
【背景技術】
【０００２】
従来、光源装置から射出された光束を画像情報に応じて光変調装置によって変調し、形成された光学像を投射光学装置によって拡大投射するプロジェクタが知られている（例えば、特許文献１参照）。
【０００３】
特許文献１に記載のプロジェクタでは、外装筐体内部における各冷却対象（例えば、液晶パネル，電源装置）を冷却するためのシロッコファンが設けられている。このシロッコファンは、吸気面が外装筐体の底面に形成された吸気口と対向されており、当該吸気口を通じて外装筐体外部の空気を吸引し、各冷却対象に向かって吐出する。
【０００４】
【特許文献１】特開２００５−１７４５８号公報（第１４頁，第１５頁，図１４，図１５）
【発明の開示】
【発明が解決しようとする課題】
【０００５】
ところで、特許文献１に記載のプロジェクタでは、シロッコファンの上方が空きスペースになっている。この空きスペースは、特許文献１の図１４に示されているように、冷却空気を流通させるために必要なスペースではあるものの、このような空きスペースを外装筐体内部に設けることは、プロジェクタの小型化という観点からは好ましくない。
【０００６】
本発明の目的は、外装筐体内部のスペースを有効に利用して小型化を図ることができるプロジェクタを提供することである。
【課題を解決するための手段】
【０００７】
本発明のプロジェクタは、光源装置と、当該光源装置から射出された光束を画像情報に応じて変調する光変調装置と、当該光変調装置によって変調された光束を拡大投射する投射光学装置とを含む画像投射装置と、当該画像投射装置を収納する外装筐体とを備えるプロジェクタであって、ファン回転軸に略垂直な吸気面を有し、当該吸気面から吸引した空気を前記ファン回転軸の回転接線方向に沿って吐出する第１遠心力ファンおよび第２遠心力ファンを含んで構成され、当該各遠心力ファンから吐出された空気によってプロジェクタにおける各冷却対象を冷却するファン装置を備え、当該ファン装置は、前記第１遠心力ファンの吸気面が前記外装筐体の底面に略平行になるように当該第１遠心力ファンを当該外装筐体の底面に対して固定するとともに、前記第２遠心力ファンの吸気面が前記外装筐体の底面に略平行になるように、かつ、当該第２遠心力ファンが前記第１遠心力ファンに対して前記外装筐体の底面に略垂直な積層方向に沿って積層するように、当該第２遠心力ファンを前記第１遠心力ファンに対して固定するファン固定部材と、前記外装筐体の底面に近い側に配置される前記第１遠心力ファンと当該底面との間に配置されて振動を吸収する第１吸振部材と、前記外装筐体の底面から遠い側に配置される前記第２遠心力ファンと、当該底面に近い側に配置される前記第１遠心力ファンとの間に配置されて振動を吸収する第２吸振部材と、を備えることを特徴とする。
【０００８】
このような構成のプロジェクタによれば、第１遠心力ファンと第２遠心力ファンとをファン固定部材によって相互に固定して積層配置させているので、外装筐体内部のスペースを有効に利用することができ、プロジェクタの小型化を図ることができる。
また、外装筐体の底面側から見ると、外装筐体の底面〜第１遠心力ファン〜第２遠心力ファンの順の配置となっているが、第１吸振部材によって外装筐体の底面〜第１遠心力ファン間における振動の伝達を防止することができ、かつ、第２吸振部材によって第１遠心力ファン〜第２遠心力ファン間における振動の伝達を防止することができるから、第１遠心力ファンおよび第２遠心力ファンを積層配置しても、これらの駆動に伴う振動を効果的に吸収して騒音の発生を抑制することができる。
また、プロジェクタにおける各冷却対象を冷却するために第１遠心力ファンおよび第２遠心力ファンの２つのファンを設けているので、冷却機能を向上させることができる。
【０００９】
また、本発明のプロジェクタでは、前記ファン固定部材において前記第１遠心力ファンおよび前記第２遠心力ファンの少なくともいずれかの冷却対象に近い側には、当該冷却対象にて温められた高温空気を遮蔽し、当該高温空気を前記第１遠心力ファンおよび前記第２遠心力ファンの少なくともいずれかが吸引するのを防止する高温空気遮蔽部が形成されている、ことが好ましい。
このような構成のプロジェクタによれば、高温空気遮蔽部によって、冷却対象にて温められた高温空気を遠心力ファンが吸引するのを防止することができるから、遠心力ファンが吸引する空気温度の上昇を防止することができ、当該遠心力ファンの冷却効率を向上させることができる。
【００１０】
また、本発明のプロジェクタでは、前記ファン固定部材は、前記第１遠心力ファンと前記第２遠心力ファンとが前記積層方向に沿って所定間隔離間して積層するように相互を固定し、前記第２遠心力ファンの吸気面は、前記ファン固定部材によって前記第１遠心力ファンと前記第２遠心力ファンとの間に形成されたファン間スペースと対向されている、ことが好ましい。
このような構成のプロジェクタでは、第２遠心力ファンがファン間スペースの空気を冷却空気として吸引して冷却対象に向かって吐出する。ここで、ファン固定部材を介することにより、第１遠心力ファンおよび第２遠心力ファン間の間隔を自由に設定して、ファン間スペースの大きさを自由に設定することができる。具体的には、第１遠心力ファンおよび第２遠心力ファン間の間隔を、ファン間スペースの空気を冷却空気として吸引する第２遠心力ファンの冷却機能を最大限に発揮できる限度で最小の間隔にするようなファン固定部材を用いることが好ましく、このようなファン固定部材によれば、ファン間スペースを、第２遠心力ファンの冷却効率を維持する上での最小限の大きさとすることができるので、プロジェクタの小型化を図ることができる。
なお、冷却対象にて温められた高温空気のファン間スペースへの流入を防ぐための前記高温空気遮蔽部をファン固定部材に形成しておくことが好ましい。
このような構成のプロジェクタによれば、高温空気遮蔽部によってファン間スペースの空気温度の上昇を防止することができ、当該ファン間スペースの空気を冷却空気として吸引する第２遠心力ファンの冷却効率を向上させることができる。
【００１１】
また、本発明のプロジェクタでは、前記画像投射装置は、略Ｌ字形状を有し、前記光源装置，前記光変調装置，前記投射光学装置は、当該画像投射装置における略Ｌ字形状の一端側から他端側に向かって順次配置され、前記画像投射装置の略Ｌ字形状の内側には、前記プロジェクタの各構成要素に電力を供給する電源装置が配置され、前記画像投射装置を間に挟んで前記電源装置と対向される位置であって、前記画像投射装置の略Ｌ字形状の一端側近傍位置には、前記ファン装置が配置され、前記画像投射装置の周囲のスペースを通過するように形成され、当該画像投射装置を間に挟んで前記ファン装置と前記電源装置とを接続する吸気ダクトが形成され、前記第１遠心力ファンおよび前記第２遠心力ファンのいずれか一方は、前記吸気ダクトを介して前記電源装置に向かって空気を吐出し、前記第１遠心力ファンおよび前記第２遠心力ファンのいずれか他方は、前記光源装置に向かって空気を吐出する、ことが好ましい。
【００１２】
このような構成のプロジェクタによれば、ファン装置が画像投射装置の略Ｌ字形状の一端側近傍に配置されているので、当該一端側に配置されている光源装置を遠心力ファンによって効率的に冷却することができる。
また、ファン装置と電源装置との間には画像投射装置が介在しているが、当該画像投射装置の周囲のスペースを通過するように形成された吸気ダクトによって両者を接続することができるので、当該吸気ダクトを介して遠心力ファンによって電源装置を効率的に冷却することができる。
【発明を実施するための最良の形態】
【００１３】
以下、本発明の実施の一形態を図面に基づいて説明する。
〔１．外観構成〕
図１，図２，図３は、プロジェクタ１の外観を示す斜視図である。具体的に、図１は、プロジェクタ１を前面上方側から見た斜視図である。図２は、プロジェクタ１を背面上方側から見た斜視図である。図３は、プロジェクタ１を背面下方側から見た斜視図である。
プロジェクタ１は、光源装置から射出される光束を画像情報に応じて光変調装置によって変調して光学像を形成し、形成した光学像を投射光学装置によってスクリーン（図示略）上に拡大投射する装置である。このプロジェクタ１は、図１〜図３に示すように、略直方体状の外装筐体２と、外装筐体２から露出する投射光学装置としての投射レンズ３（図１）とを備える。
投射レンズ３は、筒状の鏡筒内に複数のレンズが収納された組レンズとして構成され、光変調装置としての液晶パネル（後述）によって変調・形成された光学像を拡大投射する投射光学装置を構成している。
【００１４】
外装筐体２は、合成樹脂製のケースであり、プロジェクタ１の装置本体を収納する。この外装筐体２は、図１〜図３に示すように、装置本体の上部部分を覆うアッパーケース２１と、装置本体の下部部分を覆うロアーケース２２と、装置本体の前面部分を覆うフロントケース２３（図１）と、装置本体の背面部分を覆うリアケース２４（図２または図３）とを備えている。
アッパーケース２１は、図１または図２に示すように、外装筐体２の天面、側面の一部、背面の一部、および前面の一部をそれぞれ形成する天面部２１Ａ、側面部２１Ｂ，２１Ｃ、背面部２１Ｄ（図２）、前面部２１Ｅ（図１）を含んで構成されている。
【００１５】
天面部２１Ａは、図１または図２に示すように、平面視略矩形形状を有し、平面視略中央部分から前面側、側面側、および背面側にかけてなだらかに湾曲した凸曲面形状を有する。
この天面部２１Ａにおいて、前方側であって、前方から見て右側部分には、図１または図２に示すように、３つの開口部２１Ａ１が形成されている。そして、３つの開口部２１Ａ１は、投射レンズ３を操作可能としスクリーン（図示略）上に投射された投影画像のフォーカス調整、ズーム調整、および投射位置調整を実施するための各種回転つまみ３Ａの一部を露出させる。
【００１６】
また、この天面部２１Ａにおいて、開口部２１Ａ１よりも後方側には、図１または図２に示すように、プロジェクタ１の起動・調整操作を実施する操作パネル２５が左右方向に延びるように設けられている。操作パネル２５の操作ボタン２５１を適宜押下すると、操作ボタン２５１内部に配置される図示しない回路基板に実装されたタクトスイッチと接触し、所望の操作が可能となる。また、前記回路基板には、図示しないＬＥＤ(Light Emitting Diode)が取り付けられており、所定の操作に応じて発光するようになっている。
なお、前述した操作パネル２５の回路基板は、制御基板（図示略）と電気的に接続され、操作ボタン２５１の押下に伴う操作信号は、制御基板に出力される。
【００１７】
さらに、この天面部２１Ａにおいて、前方側から見て操作パネル２５の左側部分には、図１または図２に示すように、平面視略矩形形状の開口部２６が形成され、当該開口部２６に着脱自在に平面視略矩形板状のランプ蓋２６Ａが係合している。
【００１８】
側面部２１Ｂは、図１または図２に示すように、天面部２１Ａの長辺方向端縁から略垂下し、凸曲面を形成するように投射方向両端縁が背面側および前面側に湾曲して背面部２１Ｄおよび前面部２１Ｅと接続する。具体的な図示は省略するが、側面部２１Ｃも側面部２１Ｂと同様の形状を有している。
これら側面部２１Ｂ，２１Ｃのうち側面部２１Ｂにおいて、前方側には、図１〜図３に示すように、下端縁から上方側にかけて平面視略コ字形状の切り欠き２１Ｂ１が形成されている。
【００１９】
背面部２１Ｄは、図２に示すように、天面部２１Ａの短辺方向後方側端縁から略垂下し、下端縁から上方側にかけて切り欠き２１Ｄ１が形成され、平面視略コ字形状を有する。
前面部２１Ｅは、図１に示すように、天面部２１Ａの短辺方向前方側端縁から略垂下し、下端縁から上方側にかけて切り欠き２１Ｅ１が形成され、平面視略コ字形状を有する。
【００２０】
ロアーケース２２は、図１〜図３に示すように、外装筐体２の底面、側面の一部、背面の一部、および前面の一部をそれぞれ形成する底面部２２Ａ（図３）、側面部２２Ｂ，２２Ｃ（図示略）、背面部２２Ｄ（図２または図３）、および前面部２２Ｅ（図１または図３）を含んで構成される。
底面部２２Ａは、図３に示されるように、略矩形状の平坦面で構成されている。そして、この底面部２２Ａには、机等の接地面に接地されプロジェクタ１を３点で支える３つの脚部２２Ａ１と、外装筐体２内部に外部の冷却空気を導入するための吸気口２２Ａ２，２２Ａ３とが形成されている。ここで、吸気口２２Ａ２は、底面部２２Ａの後方側であって、後方から見て左側部分に形成されており、吸気口２２Ａ３は、底面部２２Ａの後方側略中央部分に形成されている。なお、いずれの吸気口２２Ａ２，２２Ａ３にも、塵埃等が冷却空気と一緒に外装筐体２内部に入り込んでくるのを防止するためのフィルタが取り付けられている。
【００２１】
側面部２２Ｂは、図１〜図３に示すように、底面部２２Ａの長辺方向端縁から上方に立設し、凸曲面を形成するように投射方向両端縁が背面側および前面側に湾曲して背面部２２Ｄおよび前面部２２Ｅと接続する。具体的な図示は省略するが、側面部２２Ｃも側面部２２Ｂと同様の形状を有している。
これら側面部２２Ｂ，２２Ｃのうち側面部２２Ｂにおいて、前方側には、図１〜図３に示すように、上端縁から下方側にかけて切り欠き２２Ｂ１が形成されている。そして、アッパーケース２１とロアーケース２２とを組み立てた状態では、切り欠き２１Ｂ１と切り欠き２２Ｂ１とが接続し、外装筐体２内部の空気を外部に排出するための平面視略矩形形状の排気口２８が形成される。そして、この排気口２８には、図１〜図３に示すように、外装筐体２内部に配置され外装筐体２内部にて温められた高温空気を外部に排出する排気ファン（後述）から吐出された高温空気を所定方向に整流するルーバ８１が取り付けられている。
【００２２】
背面部２２Ｄは、図２または図３に示すように、底面部２２Ａの短辺方向後方側端縁から上方に立設し、上端縁から下方側にかけて切り欠き２２Ｄ１が形成され、平面視略コ字形状を有する。そして、アッパーケース２１における背面部２１Ｄのコ字形状内側部分、およびロアーケース２２における背面部２２Ｄのコ字形状内側部分にてリアケース２４が支持固定される。
この背面部２２Ｄにおいて、下方側であって後方側から見て右側部分には、図２または図３に示すように、外装筐体２の内側に窪み、底部分に矩形形状の開口２２Ｄ２が形成されている。そして、この開口２２Ｄ２を介して内部のインレットコネクタ（図示略）が露出し、外部の電力をプロジェクタ１の装置本体に供給可能となっている。
【００２３】
前面部２２Ｅは、図１または図３に示すように、底面部２２Ａの短辺方向前方側端縁から上方に立設し、上端縁から下方側にかけて切り欠き２２Ｅ１が形成され、平面視コ字形状を有する。そして、アッパーケース２１における前面部２１Ｅのコ字状内側部分、およびロアーケース２２における前面部２２Ｅのコ字状内側部分にてフロントケース２３が支持固定される。
【００２４】
フロントケース２３は、図１に示すように、左右方向に延びる略楕円形状を有し、アッパーケース２１およびロアーケース２２と接続することで、前面部２１Ｅ，２２Ｅにて形成される開口部分を閉塞する。
このフロントケース２３において、前方から見て右側部分には、図１に示すように、外装筐体２の内側に窪み、底部分に略円形状の開口２３１が形成されている。そして、この開口２３１は、投射レンズ３の先端部分を露出させる。
また、このフロントケース２３において、長手方向略中央部分には、図１に示すように、リモコン受光窓２３２が形成されている。そして、このリモコン受光窓２３２の内側には、リモートコントローラ（図示略）からの操作信号を受信するリモコン受光モジュール（図示略）が配置されている。
なお、リモートコントローラには、前述した操作パネル２５に設けられる起動スイッチ、調整スイッチ等と同様のものが設けられていて、リモートコントローラを操作すると、この操作に応じた赤外線信号がリモートコントローラから出力され、赤外線信号は、リモコン受光窓２３２を介してリモコン受光モジュールで受光され、制御基板（図示略）で処理される。
【００２５】
リアケース２４は、図２または図３に示すように、左右方向に延びる略楕円形状を有し、アッパーケース２１およびロアーケース２２と接続することで、背面部２１Ｄ，２２Ｄにて形成される開口部分を閉塞する。
このリアケース２４において、後方側から見て左側部分には、図２または図３に示すように、外装筐体２の内側に窪む平面視矩形状の凹部２４１が形成されている。
この凹部２４１には、図２または図３に示すように、複数の孔２４２が形成され、これら複数の孔２４２を介して、外部の電子機器からの画像信号、音声信号等を入力するための複数の接続端子２４３が外部に露出している。また、このリアケース２４の内側には、接続端子２４３から入力される信号を処理するインターフェース基板（図示略）が配置されている。
なお、前記インターフェース基板は、制御基板（図示略）と電気的に接続され、インターフェース基板にて処理された信号は、制御基板に出力される。
【００２６】
また、このリアケース２４において、後方側から見て凹部２４１の右側部分には、図２または図３に示すように、プロジェクタ１外部に音声を出力するためのスピーカ孔２４４が形成されている。このスピーカ孔２４４の内側には、制御基板（図示略）により制御され、所定の音声を出力するスピーカ２９が配置されている。
さらに、このリアケース２４において、後方側から見てスピーカ孔２４４の左上側部分には、図２または図３に示すように、外装筐体２の内部と連通し、開口部２６に対するランプ蓋２６Ａの係合状態を解除するための操作用孔２４５が形成されている。
【００２７】
〔２．内部構成〕
図４は、プロジェクタ１の内部構成を示す斜視図である。具体的には、外装筐体２のアッパーケース２１を取り外した図である。図５は、図４の状態から、外装筐体２のフロントケース２３，リアケース２４および制御基板５を取り外した状態を示す斜視図である。図６は、図５の状態から、投射レンズ３および画像形成ユニット４を取り外した状態を示す斜視図である。
外装筐体２の内部には、プロジェクタ１の装置本体が収納されており、この装置本体は、投射レンズ３および画像形成ユニット４によって構成される画像投射装置と、画像形成ユニット４の上方に配置される制御基板５（図４）と、電源装置としての電源ユニット６と、冷却ユニット７と、排気ユニット８とを備えている。
【００２８】
〔２−１．画像投射装置の構成〕
図７は、画像投射装置を模式的に示す平面図である。この図に示されるように、画像投射装置は、外装筐体２の長手方向に沿って左右方向に延びる画像形成ユニット４と、画像形成ユニット４の右端部から前方に延びる投射レンズ３とによって、平面視略Ｌ字形状を有している。
画像形成ユニット４は、制御基板５による制御の下、画像情報に応じて画像光を形成する。この画像形成ユニット４は、図７に示すように、光源装置４１と、均一照明光学系４２と、色分離光学系４３と、リレー光学系４４と、光学装置４５と、これら光学部品４２〜４５を内部に収納する光学部品用筐体４６とを備える。
ここで、画像投射装置の平面視略Ｌ字形状の一端側から他端側に向かって、光源装置４１，均一照明光学系４２，色分離光学系４３，リレー光学系４４，光学装置４５，投射レンズ３が順次配置されている。
【００２９】
光源装置４１は、制御基板５による制御の下、点灯して平行光を均一照明光学系４２に向けて射出する。この光源装置４１は、図７に示すように、一対の電極間で放電発光が行われる発光管４１１と、この発光管４１１から射出された放射光を反射する楕円リフレクタ４１２と、楕円リフレクタ４１２により反射された光束を平行光とする平行化凹レンズ４１３と、これら各部材４１１〜４１３を収納配置するランプハウジング４１４とを含んで構成される。
発光管４１１は、図７に示すように、中央部分に位置し略球状に膨出する発光部４１１１と、この発光部４１１１の両側に延びる一対の封止部４１１２とで構成される。
発光部４１１１には、略球状の放電空間が形成され、この放電空間内に、図示しない一対の電極と、水銀、希ガス、および少量のハロゲンが封入される。
一対の封止部４１１２の内部には、前記一対の電極と電気的に接続されるモリブデン製の図示しない金属箔が挿入され、ガラス材料等で封止されている。前記各金属箔には、さらに電極引出線としての図示しないリード線が接続され、前記リード線は、発光管４１１の外部まで延出している。そして、前記リード線に電圧を印加すると、前記金属箔を介して前記一対の電極間に電位差が生じて放電が生じ、発光部４１１１内部が発光する。
楕円リフレクタ４１２は、図７に示すように、発光管４１１の基端側の一方の封止部４１１２が挿通され発光管４１１を支持する筒状の首状部４１２１と、この首状部４１２１から拡がる凹曲面状の反射部４１２２とを備えた透光性を有するガラス製の一体成形品である。
なお、本実施形態の光源装置４１では、楕円リフレクタ４１２と平行化凹レンズ４１３の組み合わせにより反射光を平行化しているが、放物面リフレクタを用いて反射光を平行化してもよい。
【００３０】
均一照明光学系４２は、光源装置４１から射出された光束を、光学装置４５を構成する後述する液晶パネルの画像形成領域に略均一に照明するための光学系である。この均一照明光学系４２は、図７に示すように、第１レンズアレイ４２１と、第２レンズアレイ４２２と、偏光変換素子４２３と、重畳レンズ４２４とを備える。
第１レンズアレイ４２１は、光軸方向から見て略矩形状の輪郭を有する小レンズがマトリクス状に配列された構成を有している。各小レンズは、光源装置４１から射出される光束を、複数の部分光束に分割している。
第２レンズアレイ４２２は、第１レンズアレイ４２１と略同様な構成を有しており、小レンズがマトリクス状に配列された構成を有している。この第２レンズアレイ４２２は、重畳レンズ４２４とともに、第１レンズアレイ４２１の各小レンズの像を光学装置４５の後述する液晶パネル上に結像させる機能を有している。
【００３１】
偏光変換素子４２３は、第２レンズアレイ４２２と重畳レンズ４２４との間に配置され、第２レンズアレイ４２２からの光を略１種類の偏光光に変換するものである。
具体的に、偏光変換素子４２３によって略１種類の偏光光に変換された各部分光は、重畳レンズ４２４によって最終的に光学装置４５の後述する液晶パネル上にほぼ重畳される。偏光光を変調するタイプの液晶パネルを用いたプロジェクタでは、１種類の偏光光しか利用できないため、ランダムな偏光光を発する光源装置４１からの光の略半分を利用できない。このため、偏光変換素子４２３を用いることで、光源装置４１からの射出光を略１種類の偏光光に変換し、光学装置４５での光の利用効率を高めている。
【００３２】
色分離光学系４３は、図７に示すように、２枚のダイクロイックミラー４３１，４３２と、反射ミラー４３３とを備え、ダイクロイックミラー４３１，４３２により均一照明光学系４２から射出された複数の部分光束を、赤、緑、青の３色の色光に分離する機能を有している。
リレー光学系４４は、図７に示すように、入射側レンズ４４１、リレーレンズ４４３、および反射ミラー４４２，４４４を備え、色分離光学系４３で分離された赤色光を光学装置４５の後述する赤色光用の液晶パネルまで導く機能を有している。
【００３３】
この際、色分離光学系４３のダイクロイックミラー４３１では、均一照明光学系４２から射出された光束の青色光成分が反射するとともに、赤色光成分と緑色光成分とが透過する。ダイクロイックミラー４３１によって反射した青色光は、反射ミラー４３３で反射し、フィールドレンズ４２５を通って光学装置４５の後述する青色光用の液晶パネルに達する。このフィールドレンズ４２５は、第２レンズアレイ４２２から射出された各部分光束をその中心軸（主光線）に対して平行な光束に変換する。他の緑色光用、赤色光用の液晶パネルの光入射側に設けられたフィールドレンズ４２５も同様である。
【００３４】
ダイクロイックミラー４３１を透過した赤色光と緑色光のうちで、緑色光はダイクロイックミラー４３２によって反射し、フィールドレンズ４２５を通って光学装置４５の後述する緑色光用の液晶パネルに達する。一方、赤色光はダイクロイックミラー４３２を透過してリレー光学系４４を通り、さらにフィールドレンズ４２５を通って光学装置４５の後述する赤色光用の液晶パネルに達する。なお、赤色光にリレー光学系４４が用いられているのは、赤色光の光路の長さが他の色光の光路の長さよりも長いため、光の発散等による光の利用効率の低下を防止するためである。すなわち、入射側レンズ４４１に入射した部分光束をそのまま、フィールドレンズ４２５に伝えるためである。
【００３５】
光学装置４５は、図７に示すように、光変調装置としての３枚の液晶パネル４５１（赤色光用の液晶パネルを４５１Ｒ、緑色光用の液晶パネルを４５１Ｇ、青色光用の液晶パネルを４５１Ｂとする）と、これら液晶パネル４５１の光束入射側および光束射出側にそれぞれ配置される入射側偏光板４５２および射出側偏光板４５３と、クロスダイクロイックプリズム４５４とを備える。
液晶パネル４５１は、具体的な図示は省略するが、一対の透明なガラス基板に電気光学物質である液晶が密閉封入された構成を有し、前記制御基板から出力される駆動信号に応じて、前記液晶の配向状態が制御され、入射側偏光板４５２から射出された偏光光束の偏光軸を変更する。
入射側偏光板４５２は、偏光変換素子４２３で偏光方向が略一方向に揃えられた各色光が入射され、入射された光束のうち、偏光変換素子４２３で揃えられた光束の偏光軸と略同一方向の偏光光のみ透過させ、その他の光束を吸収するものである。この入射側偏光板４５２は、例えば、サファイアガラスまたは水晶等の透光性基板上に偏光膜が貼付された構成を有している。
射出側偏光板４５３は、入射側偏光板４５２と略同様の構成であり、液晶パネル４５１から射出された光束のうち、入射側偏光板４５２における光束の透過軸と直交する偏光軸を有する光束のみ透過させ、その他の光束を吸収するものである。
そして、上述した液晶パネル４５１、入射側偏光板４５２、および射出側偏光板４５３にて光変調素子を構成し、該光変調素子にて光束を画像情報に応じて変調して光学像を形成する。
【００３６】
クロスダイクロイックプリズム４５４は、前記光変調素子から射出された色光毎に変調された光学像を合成してカラー画像を形成する光学素子である。このクロスダイクロイックプリズム４５４は、４つの直角プリズムを貼り合わせた平面視略正方形状をなし、直角プリズム同士を貼り合わせた界面には、２つの誘電体多層膜が形成されている。これら誘電体多層膜は、液晶パネル４５１Ｇから射出され射出側偏光板４５３を介した色光を透過し、液晶パネル４５１Ｒ，４５１Ｂから射出され射出側偏光板４５３を介した色光を反射する。このようにして、各光変調素子にて変調された各色光が合成されてカラー画像が形成される。
【００３７】
光学部品用筐体４６は、合成樹脂製の成形品であり、図７に示すように、光源装置４１から射出された光束を導入し、内部に導入した光束の照明光軸Ａが設定され、上述した光学部品４２〜４５を照明光軸Ａに対する所定位置に配置する。
この光学部品用筐体４６において、側面の前面部分には、投射レンズ３を画像形成ユニット４に対して所定位置に設置するための投射レンズ設置部４６Ａが形成されている。この投射レンズ設置部４６Ａに設置された投射レンズ３は、画像形成ユニット４にて形成されたカラー画像を拡大投射する。
また、この光学部品用筐体４６において、底面には、光学装置４５の各液晶パネル４５１位置に対応して３つの孔（図示略）が形成されている。そして、ロアーケース２２に形成されている吸気口２２Ａ２（図３）に吸気面を向けて外装筐体２内に配置されているシロッコファン７１（図６）により吸気口２２Ａ２を介して外装筐体２外部から内部に取り込まれた冷却空気は、ダクト７２（図６）により光学装置４５の下方に導かれ、前記３つの孔を介して光学部品用筐体４６内部に導入され、各液晶パネル４５１を冷却する。
なお、光学部品用筐体４６の上面には、光学装置４５の配設位置に対応して切り欠き（図示略）が形成され、光学部品用筐体４６内部に導入された冷却空気を外部に流出可能に構成されている。
【００３８】
〔２−２．制御基板５の構成〕
制御基板５は、図４に示されるように、上述した光学部品用筐体４６の上方に配置される。この制御基板５は、ＣＰＵ（Central Processing Unit）等の演算処理装置が実装された回路基板として構成され、プロジェクタ１全体を制御する。この制御基板５は、前述のインターフェース基板から出力される信号に基づいて液晶パネル４５１Ｒ，４５１Ｇ，４５１Ｂを駆動制御する。そして、液晶パネル４５１Ｒ，４５１Ｇ，４５１Ｂは、光変調を実施して光学像が形成される。また、この制御基板５は、前述の操作パネル２５の回路基板、および前述の図示しないリモコン受光モジュールから出力される操作信号を入力し、この操作信号に基づいてプロジェクタ１の構成部材に適宜、制御指令を出力する。
【００３９】
〔２−３．電源ユニット６の構成〕
電源ユニット６は、光源装置４１や制御基板５などに必要な電力を供給する装置であり、投射レンズ３および画像形成ユニット４によって構成される画像投射装置の平面視略Ｌ字形状の内側において、外装筐体２のフロントケース２３（図１）の長手方向に沿って配置されている（図５参照）。
図８は、電源ユニット６をプロジェクタ１の後方側から見た斜視図である。この電源ユニット６は、外装筐体２の底面に対して垂直な方向に沿って一体的に積層配置された電源ブロック６１とランプ駆動ブロック６２とによって構成されている。
【００４０】
電源ブロック６１は、略直方体形状の電源ブロックケース６１１を備えている。電源ブロックケース６１１の内部には、回路素子（図示略）が収納されている。この回路素子は、前述のインレットコネクタに接続された電源ケーブルを通して外部から供給された電力をランプ駆動ブロック６２の回路素子（後述）や制御基板５などに供給する。この回路素子は、入力される交流を低電圧の直流に変換するトランスや当該トランスからの出力を所定の電圧に変換する変換回路等が回路基板の片面に実装されることにより構成されている。また、電源ブロックケース６１１には、冷却空気を電源ブロックケース６１１内部に導入するための吸気用開口部６１１Ａと、電源ブロックケース６１１内部において温められた高温空気を電源ブロックケース６１１外部に排出するための排気用開口部６１１Ｂとが形成されている。ここで、吸気用開口部６１１Ａおよび排気用開口部６１１Ｂは、いずれも電源ブロックケース６１１における後方側の面、すなわち、平面視略Ｌ字形状の画像投射装置における画像形成ユニット４と対向される側の面（図５参照）に形成されている。ここで、吸気用開口部６１１Ａは、画像投射装置の平面視略Ｌ字形状における屈曲部寄りに形成されており、排気用開口部６１１Ｂは、画像投射装置の平面視略Ｌ字形状における一端部（光源装置４１（図７）が配置されている側の端部）寄りに形成されている。
【００４１】
ランプ駆動ブロック６２は、電源ブロック６１の上方に積層配置され、略直方体形状のランプ駆動ブロックケース６２１を備えている。ランプ駆動ブロックケース６２１の内部には、回路素子（図示略）が収納されている。この回路素子は、前述の光源装置４１に安定した電圧で電力を供給するための変換回路であり、電源ブロック６１の回路素子から入力した商用交流電流は、このランプ駆動ブロック６２における回路素子によって整流、変換されて、直流電流や交流矩形波電流となって光源装置４１に供給される。また、ランプ駆動ブロックケース６２１には、冷却空気をランプ駆動ブロックケース６２１内部に導入するための吸気用開口部６２１Ａと、ランプ駆動ブロックケース６２１内部において温められた高温空気をランプ駆動ブロックケース６２１外部に排出するための排気用開口部６２１Ｂとが形成されている。ここで、吸気用開口部６２１Ａおよび排気用開口部６２１Ｂは、いずれもランプ駆動ブロックケース６２１における後方側の面、すなわち、平面視略Ｌ字形状の画像投射装置における画像形成ユニット４と対向される側の面（図５参照）に形成されている。ここで、吸気用開口部６２１Ａは、画像投射装置の平面視略Ｌ字形状における屈曲部寄りに形成されており、排気用開口部６２１Ｂは、画像投射装置の平面視略Ｌ字形状における一端部（光源装置４１（図７）が配置されている側の端部）寄りに形成されている。
なお、吸気用開口部６２１Ａは、電源ブロック６１の吸気用開口部６１１Ａの真上に形成されており、また、排気用開口部６２１Ｂは、電源ブロック６１の排気用開口部６１１Ｂの真上に形成されている。
【００４２】
〔２−４．冷却ユニット７の構成〕
冷却ユニット７は、プロジェクタ１における各発熱要素を冷却するための冷却空気を外装筐体２外部から取り入れて当該各発熱要素に送るユニットである。ここで、主な発熱要素は、液晶パネル４５１Ｒ，４５１Ｇ，４５１Ｂ（図７）、光源装置４１（図７）、電源ブロック６１（図８）の回路素子等、ランプ駆動ブロック６２（図８）の回路素子等である。
冷却ユニット７は、図６に示されるように、各液晶パネル４５１に冷却空気を送るためのシロッコファン７１およびダクト７２と、電源ブロック６１およびランプ駆動ブロック６２に冷却空気を送るためのシロッコファン７３および吸気ダクト７４と、光源装置４１の発光管４１１（図７）に冷却空気を送るためのシロッコファン７５とを備えて構成されている。
ここで、シロッコファン７３は、本発明における第１遠心力ファンを構成しており、ファン固定部材７６を介してシロッコファン７３に固定されるシロッコファン７５は、本発明における第２遠心力ファンを構成している。そして、これらのシロッコファン７３，シロッコファン７５，ファン固定部材７６を含んで本発明におけるファン装置としてのファンユニット７７が構成されている。なお、ファンユニット７７の詳細な構成については後述する。
【００４３】
シロッコファン７１およびダクト７２は、前述したように、ロアーケース２２に形成されている吸気口２２Ａ２（図３）から外装筐体２内部に冷却空気を取り入れて、各液晶パネル４５１に送る。
シロッコファン７３は、図５に示されるように、画像投射装置を構成する画像形成ユニット４を間に挟んで、電源ユニット６における吸気用開口部６１１Ａ，６２１Ａ（図８）と対向配置されている。また、シロッコファン７３は、ロアーケース２２に形成されている吸気口２２Ａ３（図３）に吸気面を向けて配置されているとともに、電源ユニット６の吸気用開口部６１１Ａ，６２１Ａに吐出面を向けて配置されている。そして、シロッコファン７３は、吸気口２２Ａ３を介して外装筐体２外部から冷却空気を吸引し、電源ユニット６の吸気用開口部６１１Ａ，６２１Ａに向けて当該冷却空気を吐出する。吸気ダクト７４は、図６に示されるように、シロッコファン７３の吐出方向に沿って形成されてシロッコファン７３と電源ユニット６の吸気用開口部６１１Ａ，６２１Ａとを接続し、シロッコファン７３から吐出された冷却空気を吸気用開口部６１１Ａ，６２１Ａを介して電源ブロックケース６１１，ランプ駆動ブロックケース６２１内部に導入する。ここで、吸気ダクト７４は、画像投射装置を構成する画像形成ユニット４の下方のスペースを通過するように形成されている。
【００４４】
図９は吸気ダクト７４を示す斜視図であり、図１０は吸気ダクト７４を示す分解斜視図である。なお、これらの図においては、シロッコファン７３からの冷却空気の流れる方向を矢印によって示している。これらの図に示されるように、吸気ダクト７４は、冷却空気の流路の左側部分を形成する左側流路部材７４Ｌと、冷却空気の流路の右側部分を形成する右側流路部材７４Ｒとによって構成されている。左側流路部材７４Ｌおよび右側流路部材７４Ｒに設けられている複数対の係合片７４Ｌ１，７４Ｒ１をそれぞれ係合させることによって、左側流路部材７４Ｌおよび右側流路部材７４Ｒは一体的に吸気ダクト７４として構成される（図９）。
【００４５】
図１０に示されるように、左側流路部材７４Ｌには、冷却空気の流路に沿って形成されて当該流路を上下に仕切る仕切り部７４Ｌ２が形成されている。ここで、仕切り部７４Ｌ２は、冷却空気の入口部７４Ｌ３よりも流路に沿って奥の位置から始まっており、冷却空気の出口部７４Ｌ４と流路に沿って同じ位置で終わっている。なお、図示は省略するが、右側流路部材７４Ｒにも、左側流路部材７４Ｌと同様の仕切り部７４Ｒ２が形成されている。そして、複数対の係合片７４Ｌ１，７４Ｒ１をそれぞれ係合させて吸気ダクト７４を組み立てると、左側流路部材７４Ｌの仕切り部７４Ｌ２と、右側流路部材７４Ｒの仕切り部７４Ｒ２とは互いに隙間なく当接して吸気ダクト７４内部を上下に仕切る仕切りを形成する。これにより、吸気ダクト７４内部には、上下２つの冷却空気の流路が形成される。なお、仕切り部７４Ｌ２が冷却空気の入口部７４Ｌ３よりも流路に沿って奥の位置から始まっている（仕切り部７４Ｒ２についても同様）ので、両仕切り部７４Ｌ２，７４Ｒ２によって吸気ダクト７４内部に形成される仕切りは、冷却空気の入口部（７４Ｌ３と同位置）よりも流路に沿って奥の位置から始まっている。したがって、吸気ダクト７４内部に形成される冷却空気の流路は、図９に示されるように最初は１本であり、流路に沿って進むと仕切り部７４Ｌ２，７４Ｒ２によって形成される仕切りによって上下２本に分岐され、そのまま電源ユニット６に送られる。
【００４６】
図１１（分解斜視図）に示されるように、吸気ダクト７４の冷却空気の出口部７４４は、電源ユニット６の吸気用開口部６１１Ａ，６２１Ａに接続される。このとき、吸気ダクト７４内部の仕切りの下側における流路（電源ブロック用流路）の出口部は電源ブロック６１の吸気用開口部６１１Ａに接続されて電源ブロックケース６１１内部の回路素子等に冷却空気を送り、また、仕切りの上側における流路（光源装置駆動ブロック用流路）の出口部はランプ駆動ブロック６２の吸気用開口部６２１Ａに接続されてランプ駆動ブロックケース６２１内部の回路素子等に冷却空気を送る。
なお、吸気ダクト７４に形成される各流路は、電源ブロック６１およびランプ駆動ブロック６２の発熱量に応じて設定された断面積を有する。具体的には、発熱量が多い電源ブロック６１用の流路の断面積は、発熱量が少ないランプ駆動ブロック６２用の流路の断面積よりも大きくされて、より多くの冷却空気が電源ブロックケース６１１内部に導入されるようになっている。なお、流路の断面積は、吸気ダクト７４内部に形成される仕切りの位置によって設定することが可能である。
【００４７】
シロッコファン７５は、図５に示されるように、電源ユニット６冷却用のシロッコファン７３の上方に積層配置されている。ここで、シロッコファン７５とシロッコファン７３との間には、両シロッコファンを互いに固定するファン固定部材７６が介在配置されており、このファン固定部材７６により、両シロッコファンは、外装筐体２の底面に略垂直な方向に沿って所定距離離間して配置されている。こうして両シロッコファンの間にはスペースが生じており、シロッコファン７５は、当該スペースに面した吸気面によって光源装置４１の発光管４１１（図７）を冷却するための冷却空気を吸引する。
【００４８】
シロッコファン７５の吐出面は、図５に示されるように、発光管４１１を収納しているランプハウジング４１４（図７）に対向されている。ランプハウジング４１４には、シロッコファン７５から吐出された冷却空気を内部に導入するための開口部４１４１が形成されている。そして、開口部４１４１を介してランプハウジング４１４内部に導入された冷却空気は、発光管４１１に送られ、発光管４１１が冷却される。
【００４９】
〔２−５．排気ユニット８の構成〕
図１２は、排気ユニット８を、電源ユニット６，シロッコファン７３，吸気ダクト７４とともに示す斜視図である。図１３は、排気ユニット８のみを図１２とは別の方向から見た斜視図である。排気ユニット８は、外装筐体２内部において温められた高温空気、特に、光源装置４１にて温められた高温空気と、電源ユニット６にて温められた高温空気とを外装筐体２外部に排出するユニットである。この排気ユニット８は、ルーバ８１を有する排気側ダクト８０と、軸流ファンとしての排気ファン８２と、吸気側ダクト８３とを備える。
【００５０】
吸気側ダクト８３は、合成樹脂等を射出成形等により成形した成形品であり、光源装置４１と排気ファン８２との間、および、電源ユニット６と排気ファン８２との間に介在配置され、光源装置４１にて温められた高温空気を排気ファン８２に導くとともに、電源ユニット６にて温められた高温空気を排気ファン８２に導く。この吸気側ダクト８３には、各部からの高温空気を導入するための３つの開口部８３１（図１２），８３２（図１２），８３３（図１３）が形成されている。
【００５１】
開口部８３１（図１２）には、シロッコファン７５（図５）から吐出され、光源装置４１のランプハウジング４１４（図５）内部の発光管４１１にて温められた高温空気が導入される。発光管４１１にて温められた高温空気は、ランプハウジング４１４において開口部８３１と対向される位置に形成されている開口部（図示略）から排出されて開口部８３１に導入される。
図１４に具体的な空気の流れＦ１を概略的に示す。まず、シロッコファン７５から吐出された冷却空気は、開口部４１４１からランプハウジング４１４内部に導入される。この冷却空気は進行方向が略９０°曲げられて画像形成ユニット４の長手方向（光源装置４１の光射出方向）に対して略垂直にランプハウジング４１４内部を進む。そして、冷却空気は、進行軌道上に配置されている発光管４１１（図１４では図示略）を冷却し、温められて高温空気となる。この高温空気は、発光管４１１にて温められた後もそのまま略直進し、開口部４１４１とは反対側のランプハウジング４１４の側面に形成されている前記の開口部（図示略）から排出される。そして、排出された高温空気は、開口部８３１から吸気側ダクト８３内部に導入される。この高温空気は、排気ファン８２によって引き寄せられる。
【００５２】
開口部８３２（図１２）には、排気ファン８２によって吸引され、光源装置４１のランプハウジング４１４（図５）内部の楕円リフレクタ４１２（図７）にて温められた高温空気が導入される。
図１４および図１５に、楕円リフレクタ４１２の冷却に関与する空気の具体的な流れＦ２１，Ｆ２２を概略的に示す。なお、図１５は、吸気側ダクト８３の断面図であり、開口部８３２を通じて吸気側ダクト８３内部に高温空気が導入される様子を示している。図１５に示されるように、開口部８３２は、吸気側ダクト８３の側壁部８３４の下方側端部において側壁部８３４に対して略垂直に突出形成される段部８３５に穿設された孔として構成されている。
【００５３】
空気の流れＦ２１では、図１４に示されるように、ランプハウジング４１４外部の冷却空気が排気ファン８２によって吸引されて、ランプハウジング４１４の上面に形成された１対の開口部４１４２を通じてランプハウジング４１４内に導入される。そして、この冷却空気は、ランプハウジング４１４内の楕円リフレクタ４１２（図７）の凸状背面に沿って上方から下方に向かって流れて（図１５参照）楕円リフレクタ４１２を冷却し、開口部８３２を通じて吸気側ダクト８３内部に導入される。
空気の流れＦ２２では、図１４に示されるように、ランプハウジング４１４外部の冷却空気が排気ファン８２によって吸引されて、ランプハウジング４１４の側面に形成された開口部４１４３を通じてランプハウジング４１４内に導入される。そして、この冷却空気は、ランプハウジング４１４内の楕円リフレクタ４１２（図７）の凸状背面に沿って左右方向に流れて（図１５参照）楕円リフレクタ４１２を冷却し、開口部８３２を通じて吸気側ダクト８３内部に導入される。
【００５４】
開口部８３３（図１３）には、シロッコファン７３（図１４）から吐出され、電源ユニット６にて温められた高温空気が導入される。
図１４に具体的な空気の流れＦ３を概略的に示す。まず、シロッコファン７３から吐出された冷却空気は、吸気ダクト７４を介して吸気用開口部６１１Ａおよび６２１Ａ（図８）から電源ブロックケース６１１およびランプ駆動ブロックケース６２１内部に導入される。この冷却空気は進行方向が略９０°曲げられて電源ユニット６の長手方向に沿って進み、電源ブロックケース６１１およびランプ駆動ブロックケース６２１内部に収納されている回路素子等を冷却する。そして、再び進行方向が略９０°曲げられて排気用開口部６１１Ｂおよび６２１Ｂ（図８）から電源ブロックケース６１１およびランプ駆動ブロックケース６２１外部に排出される。開口部８３３は、排気用開口部６１１Ｂおよび６２１Ｂと対向される位置に形成されており、排気用開口部６１１Ｂおよび６２１Ｂから排出された高温空気は開口部８３３から吸気側ダクト８３内部に導入される。そして、この高温空気は、排気ファン８２によって引き寄せられる。
【００５５】
以上のように、吸気側ダクト８３は、光源装置４１における発光管４１１からの高温空気（流れＦ１）と、光源装置４１における楕円リフレクタ４１２からの高温空気（流れＦ２１およびＦ２２）と、電源ユニット６からの高温空気（流れＦ３）とをまとめて、空気導出部８３６に接続された排気ファン８２に導く機能を果たしている。
【００５６】
排気ファン８２は、高温空気の吸入方向および排出方向が略同一である軸流ファンであり、吸気側ダクト８３から導かれた高温空気を吸入して排気側ダクト８０に向けて吐出する。
排気側ダクト８０は、高温空気を流通する筒状に形成され、高温空気の排出側にルーバ８１が設けられている。ルーバ８１は、図１４等に示されるように、複数の羽根板８１１が並行配置されたものであり、これら複数の羽根板８１１は、左右方向に延びる形状を有している。
なお、図１４に、排気ファン８２から吐出された高温空気が排気側ダクト８０を通じて外装筐体２外部に排出される流れＦ４が示されている。
【００５７】
図１６は、排気ファン８２および排気側ダクト８０の断面図であり、排出される高温空気の流れＦ４を示している。この図に示されているように、排気側ダクト８０は、排気ファン８２の排気方向に対して交差する方向に沿って形成されており、排気ファン８２と、外装筐体２の排気口２８とは、排気ファン８２の排気方向に垂直な方向に沿って互いにずれた位置に設けられている。このような構成において、排気ファン８２から排気方向に沿って排出された高温空気は、排気側ダクト８０の形成方向に沿うように進行方向が曲げられて略直進し、ルーバ８１によって整流されて排気口２８から外装筐体２外部に排出される。
【００５８】
〔２−６．ファンユニット７７の詳細な構成〕
続いて、図１７〜図１９を用いて冷却ユニット７におけるファンユニット７７の詳細な構成について説明する。
ファンユニット７７は、図１４などに示されるように、画像投射装置（画像形成ユニット４）を間に挟んで電源ユニット６と対向される位置であって、当該画像投射装置の平面視略Ｌ字形状において光源装置４１が配置される一端側近傍位置に配置されている。
【００５９】
図１７は、ファンユニット７７の構成を示すための分解斜視図である。ファンユニット７７は、本発明における第１遠心力ファンとしてのシロッコファン７３と、本発明における第２遠心力ファンとしてのシロッコファン７５とを備えている。シロッコファン７３およびシロッコファン７５は、いずれもファン回転軸（図示略）に垂直な吸気面を有し、当該吸気面から吸引した空気を前記ファン回転軸の回転接線方向に沿って吐出する遠心力ファンである。前述したように、シロッコファン７３は、図１４に示される流れＦ３によって電源ユニット６を冷却するためのファンであり、シロッコファン７５は、図１４に示される流れＦ１によって光源装置４１の発光管４１１を冷却するためのファンである。ここで、光源装置４１に関しては、図１４を参照して説明したように、シロッコファン７５に基づく流れＦ１とは別の流れＦ２１，Ｆ２２によっても冷却が行われているので、１つのシロッコファン７５に求められる冷却機能はそれほど高いものではなく、シロッコファン７５としては小型のものを採用しても、十分に光源装置４１を冷却することができる。そこで、図１７にも示されているように、シロッコファン７５としては、電源ユニット６冷却用の大型のシロッコファン７３に比べて小型のものが採用されている。
【００６０】
ファン固定部材７６は金属製の板体であり、図１８または図１９に示されているように、シロッコファン７３の上面に当接される本発明の第２吸振部材としてのクッション７９を介して当該シロッコファン７３が取り付けられる第１ファン取付面７６１と、シロッコファン７５の下面に当接されて当該シロッコファン７５が取り付けられる第２ファン取付面７６２とを有している。ここで、クッション７９は、第１ファン取付面７６１と同じ高さの位置に２つ配置される。
【００６１】
第１ファン取付面７６１には、図１９に示されるように、２本のねじ７３Ａ（図１７）を挿通させるための２つの挿通孔７６Ａが形成されている。この挿通孔７６Ａを挿通されたねじ７３Ａは、外装筐体２（ロアーケース２２）の底面に形成された２つのねじ穴２２Ａ４（図１７：うち１つは図示略）に螺合される。ここで、ねじ７３Ａとねじ穴２２Ａ４の螺合により、ファン固定部材７６は外装筐体２の底面に固定され、同時に、ファン固定部材７６の第１ファン取付面７６１に取り付けられたクッション７９によってシロッコファン７３の上面が押圧されて、シロッコファン７３が外装筐体２の底面に固定される。
【００６２】
第２ファン取付面７６２には、図１７に示されるように、２つのねじ孔７６Ｂ（うち１つは図示略）が形成される。このねじ孔７６Ｂには、シロッコファン７５に形成されている挿通孔７５Ｂを挿通されたねじ７５Ａが螺合されるようになっており、シロッコファン７５の下面とファン固定部材７６の第２ファン取付面７６２とが当接された状態で、シロッコファン７５がファン固定部材７６に固定されるようになっている。なお、シロッコファン７５は、図１８に示されているように、ファン固定部材７６に形成された係止部７６Ｃによって上面が係止されて、ファン固定部材７６から簡単には外れないようになっている。
【００６３】
以上のように、第１遠心力ファンとしてのシロッコファン７３は、第１ファン取付面７６１に取り付けられたクッション７９に当接された状態でファン固定部材７６に固定され、第２遠心力ファンとしてのシロッコファン７５は、第２ファン取付面７６２に当接された状態でファン固定部材７６に固定されるようになっている。したがって、ファン固定部材７６は、第１ファン取付面７６１および第２ファン取付面７６２を介してシロッコファン７３およびシロッコファン７５を相互に固定することができる。
【００６４】
図１９に示されるように、ファン固定部材７６において、第１ファン取付面７６１と第２ファン取付面７６２とは、寸法ｄだけ隔たっており、ファン固定部材７６によって両シロッコファン７３，７５を相互に固定すると、両シロッコファン７３，７５は、吸気面（後述）が外装筐体２の底面に略平行な状態で、外装筐体２の底面に垂直な積層方向に沿って間隔ｄ離間して積層配置される。この際、ファン固定部材７６が平面視略コ字形状を有しているので、当該平面視略コ字形状の内側相当部分において、シロッコファン７３とシロッコファン７５との間には高さｄの略直方体形状のファン間スペース７６３が形成される。図１９に示されるように、シロッコファン７５は、吸気面７５Ｃが下方を向いてファン間スペース７６３と対向されており、当該ファン間スペース７６３の空気を冷却空気として吸引することができるようになっている。なお、ファン固定部材７６の第２ファン取付面７６２には、図１９に示されるように、シロッコファン７５の吸気面７５Ｃを露出させ、当該吸気面７５Ｃを通じたファン間スペース７６３からの吸気を可能にするための略矩形形状の開口部７６４が形成されている。ここで、ファン固定部材７６における第１ファン取付面７６１と第２ファン取付面７６２との間隔ｄ、すなわち、ファン間スペース７６３の高さｄは、ファン間スペース７６３の空気を冷却空気として吸引するシロッコファン７５の冷却機能を最大限に発揮できる限度で最小の間隔に設定されている。なお、図１７において、符号７５Ｄは、シロッコファン７５の動作を制御するための制御信号を伝送する制御線を示している。
【００６５】
ファン固定部材７６においてシロッコファン７３の冷却対象としての電源ユニット６（図１４）に近い側の部分（図１９では背面側における右側部分）には、電源ユニット６や、電源ユニット６よりもファンユニット７７に近い位置に配置されている画像形成ユニット４（図１４）にて温められた高温空気がファン間スペース７６３に流入するのを防ぐための高温空気遮蔽部７６５Ａが形成されている。また、ファン固定部材７６においてシロッコファン７５の冷却対象としての光源装置４１（図１４）に近い側の部分（図１９では右側面側の部分）には、光源装置４１にて温められた高温空気がファン間スペース７６３に流入するのを防ぐための高温空気遮蔽部７６５Ｂが形成されている。また、ファン固定部材７６においてシロッコファン７３およびシロッコファン７５の各冷却対象から遠い側の部分（図１９では正面側の部分，左側面側の部分，背面側における左側部分）には、ファン間スペース７６３へ冷却空気を流入させるための開口部７６６Ａ，７６６Ｂ，７６６Ｃ（冷却空気流入部）が形成されている。
【００６６】
図１７に示されるように、シロッコファン７３は、吸気面７３Ｂが下方を向いて外装筐体２の底面に形成された吸気口２２Ａ３と対向されており、当該吸気口２２Ａ３を通じて外装筐体２外部の空気を冷却空気として吸引することができるようになっている。ここで、図１７に示されるように、シロッコファン７３の下面（吸気面７３Ｂ）と、外装筐体２の底面との間には、本発明の第１吸振部材としての３つのクッション７８が介在配置される。クッション７８は、ゴムスポンジ，ウレタンフォーム，シリコンフォームなどの弾性材料によって構成されている。そして、これら３つのクッション７８は、主としてシロッコファン７３の振動を吸収する役割を果たす。
【００６７】
また、クッション７９は、前記のクッション７８と同じ弾性材料によって構成されており、図１７に示されるように、クッション７９は、シロッコファン７３とシロッコファン７５の間に配置されるので、両シロッコファンの振動を吸収する役割を果たす。
【００６８】
以上のような本実施形態によれば、シロッコファン７３とシロッコファン７５とをファン固定部材７６によって相互に固定して積層配置させているので、外装筐体２内部のスペースを有効に利用することができ、プロジェクタ１の小型化を図ることができる。
【００６９】
また、ファンユニット７７を外装筐体２の底面側から見ると、外装筐体２の底面〜シロッコファン７３〜シロッコファン７５の順の配置となっているが、クッション７８によって外装筐体２の底面〜シロッコファン７３間における振動の伝達を防止することができ、かつ、クッション７９によってシロッコファン７３〜シロッコファン７５間における振動の伝達を防止することができるから、シロッコファン７３およびシロッコファン７５を積層配置しても、これらの駆動に伴う振動を効果的に吸収して騒音の発生を抑制することができる。
【００７０】
また、ファン固定部材７６における第１ファン取付面７６１と第２ファン取付面７６２との間隔ｄ、すなわち、ファン間スペース７６３の高さｄが、ファン間スペース７６３の空気を冷却空気として吸引するシロッコファン７５の冷却機能を最大限に発揮できる限度で最小の間隔に設定されているので、シロッコファン７５の冷却効率を高度に維持しながらプロジェクタ１の小型化を図ることができる。
【００７１】
また、ファン固定部材７６に形成された高温空気遮蔽部７６５Ａ，７６５Ｂによって、画像形成ユニット４、特に、光源装置４１にて温められた高温空気がファン間スペース７６３に流入するのが防止されるから、ファン間スペース７６３の空気温度の上昇を防止することができ、当該ファン間スペース７６３の空気を冷却空気として吸引するシロッコファン７５の冷却効率を向上させることができる。
【００７２】
また、ファン固定部材７６に形成された冷却空気流入部としての開口部７６６Ａ，７６６Ｂ，７６６Ｃによって、画像形成ユニット４、特に、光源装置４１にて温められていない空気が冷却空気としてファン間スペース７６３に流入されるから、当該ファン間スペース７６３の空気を冷却空気として吸引するシロッコファン７５の冷却効率を向上させることができる。
【００７３】
また、ファンユニット７７が画像投射装置の平面視略Ｌ字形状の一端側近傍に配置されているので、当該一端側に配置されている光源装置４１をシロッコファン７５によって効率的に冷却することができる。
【００７４】
また、ファンユニット７７と電源ユニット６との間には画像投射装置（画像形成ユニット４）が介在しているが、当該画像投射装置の周囲のスペースを通過するように形成された吸気ダクト７４によって両者を接続することができるので、ファンユニット７７から見て画像投射装置を間に挟んで向こう側にある電源ユニット６もシロッコファン７３によって効率的に冷却することができる。
【００７５】
また、積層配置される２つのシロッコファン７３，７５において、大型のシロッコファン７３を下方に配置し、小型のシロッコファン７５を上方に配置しているので、ファンユニット７７全体の重心の位置を下げることができ、ファンユニット７７のバランスを安定させることができる。したがって、ファンユニット７７のぐらつきを防止して、振動および騒音の発生を抑止することができる。
【００７６】
また、ファン固定部材７６の第２ファン取付面７６２が、シロッコファン７５の下面に当接されて、シロッコファン７５の重さを支えているので、シロッコファン７５を安定して配置することができ、振動および騒音の発生を抑止することができる。
【００７７】
また、光源装置４１から射出された光が吸気用開口部６１１Ａ，６２１Ａなどから電源ブロックケース６１１，ランプ駆動ブロックケース６２１の内部に入り込んだ後、排気用開口部６１１Ｂ，６２１Ｂから電源ブロックケース６１１，ランプ駆動ブロックケース６２１外部に漏れ出たとしても、排気用開口部６１１Ｂ，６２１Ｂが電源ブロックケース６１１，ランプ駆動ブロックケース６２１において画像投射装置における画像形成ユニット４と対向される側の面に形成され、外装筐体２の排気口２８の方向を向いていないので、排気用開口部６１１Ｂ，６２１Ｂから漏れ出た光は、排気口２８を通じて外装筐体２外部へ漏れ出る可能性が小さい。具体的には、排気用開口部６１１Ｂ，６２１Ｂと排気口２８とは、図１４に示されるように、吸気側ダクト８３および排気側ダクト８０を介して平面視略Ｕ字状に接続されているので、排気用開口部６１１Ｂ，６２１Ｂから漏れ出た光は、当該平面視略Ｕ字状の屈曲部分にて遮られ、排気口２８まで到達しにくくなっている。以上のように、本実施形態によれば、外装筐体２外部への光漏れを防止することができる。
【００７８】
また、外装筐体２の排気口２８から塵埃等が外装筐体２内部に入り込んでしまったとしても、電源ユニット６の排気用開口部６１１Ｂ，６２１Ｂが、電源ブロックケース６１１，ランプ駆動ブロックケース６２１において画像投射装置における画像形成ユニット４と対向される側の面に形成され、外装筐体２の排気口２８の方向を向いていないので、排気口２８から外装筐体２内部に入り込んだ塵埃等は、排気用開口部６１１Ｂ，６２１Ｂを通じて電源ブロックケース６１１，ランプ駆動ブロックケース６２１内部に入る可能性が小さい。具体的には、排気用開口部６１１Ｂ，６２１Ｂと排気口２８とは、図１４に示されるように、吸気側ダクト８３および排気側ダクト８０を介して平面視略Ｕ字状に接続され、排気口２８から外装筐体２内部に入り込んだ塵埃等が排気用開口部６１１Ｂ，６２１Ｂに到達するためには、前記平面視略Ｕ字状に合わせて進行方向を略１８０°転換させる必要があるので、結局、当該塵埃等は排気用開口部６１１Ｂ，６２１Ｂまで到達しにくくなっている。以上のように、本実施形態によれば、電源ブロックケース６１１，ランプ駆動ブロックケース６２１内部に収納されている回路素子等に塵埃等が接触することを防止することができ、不具合の発生を防止することができる。
【００７９】
また、吸気側ダクト８３によって、光源装置４１および電源ユニット６から排出された高温空気を一括して排気ファン８２に導くことができ、当該排気ファン８２によって外装筐体２外部に排出することができる。このような吸気側ダクト８３および排気ファン８２によって、光源装置４１および電源ユニット６において温められた高温空気を、外装筐体２の排気口２８まで適切に導くことができ、当該排気口２８を通じて外装筐体２外部に排出させることができるから、冷却効率を向上させることができる。
【００８０】
また、光源装置４１および電源ユニット６のそれぞれについて排気ファンを設けなくてもよいから、外装筐体２内部の部品点数を少なくすることができ、プロジェクタ１の小型化を図ることができる。
【００８１】
また、光源装置４１から射出された光が吸気側ダクト８３を通じて排気ファン８２から漏れ出たとしても、図１６に示されるように、排気ファン８２と、外装筐体２の排気口２８とが、排気ファン８２の排気方向に沿って一直線上に位置していないので、排気ファン８２から漏れ出た光は排気口２８を通じて外部に漏れ出る可能性が小さい。したがって、本実施形態によれば、外装筐体２外部への光漏れを防止することができる。
【００８２】
また、外装筐体２の排気口２８から塵埃等が外装筐体２内部に入り込んでしまったとしても、排気口２８と排気ファン８２とが排気ファン８２の排気方向に沿って一直線上に位置していないので、排気口２８から入り込んだ塵埃等は排気ファン８２を通じて吸気側ダクト８３に入り込みにくくなり、吸気側ダクト８３に接続されている電源ユニット６や光源装置４１に当該塵埃等が接触する可能性は著しく小さい。したがって、電源ユニット６を構成する各回路素子等、あるいは、光源装置４１を構成する各部品に塵埃等が接触することを防止することができ、不具合の発生を防止することができる。
【００８３】
また、電源ユニット６の吸気用開口部６１１Ａ，６２１Ａが電源ブロックケース６１１，ランプ駆動ブロックケース６２１において画像投射装置における画像形成ユニット４と対向される側の面に形成され、外装筐体２の排気口２８の方向を向いていないので、電源ユニット６の排気用開口部６１１Ｂ，６２１Ｂが電源ブロックケース６１１，ランプ駆動ブロックケース６２１において画像投射装置における画像形成ユニット４と対向される側の面に形成されている場合と同様に、排気口２８を通じた外装筐体２外部への光漏れを防止することができるとともに、電源ブロックケース６１１，ランプ駆動ブロックケース６２１内部に収納されている回路素子等に排気口２８を通じて侵入してきた塵埃等が接触することを防止することができ、不具合の発生を防止することができる。
【００８４】
また、電源ユニット６の吸気用開口部６１１Ａ，６２１Ａが電源ブロックケース６１１，ランプ駆動ブロックケース６２１において画像投射装置における画像形成ユニット４と対向される側の面に形成され、外装筐体２の排気口２８の方向を向いていないので、電源ユニット６の排気用開口部６１１Ｂ，６２１Ｂが電源ブロックケース６１１，ランプ駆動ブロックケース６２１において画像投射装置における画像形成ユニット４と対向される側の面に形成されている場合と同様に、排気口２８を通じた外装筐体２外部への光漏れを防止することができるとともに、電源ブロックケース６１１，ランプ駆動ブロックケース６２１内部に収納されている回路素子等に排気口２８を通じて侵入してきた塵埃等が接触することを防止することができ、不具合の発生を防止することができる。
【００８５】
また、吸気ダクト７４が電源ブロック６１用流路とランプ駆動ブロック６２用流路とを備えているので、両ブロックを効果的に冷却することができる。
【００８６】
また、吸気ダクト７４に形成される各流路は、電源ブロック６１およびランプ駆動ブロック６２の発熱量に応じて適切に設定された断面積をそれぞれ有するので、電源ブロックケース６１１およびランプ駆動ブロックケース６２１内部にそれぞれ適切な量の冷却空気を導入することができ、効率的な冷却を行うことができる。
【００８７】
また、吸気ダクト７４が、画像投射装置における画像形成ユニット４の下方のスペースを通過するように形成され、画像形成ユニット４の両側を接続可能としているので、一方の側に配置されている電源ユニット６から見て画像形成ユニット４を間に挟んだ他方の側のスペースをシロッコファン７３の配置用スペースとして有効に利用することができる。この際、シロッコファン７３を画像形成ユニット４と電源ユニット６との間の限られたスペースに配置する場合に比べて、シロッコファン７３の設置スペース上の制限が少ないから、冷却効率の良いシロッコファン７３を選択することができる。
【００８８】
また、図１５に示されるように、吸気側ダクト８３の開口部８３２が段部８３５において下方向きに形成されているので、開口部８３２を通じて吸気側ダクト８３に入り込む光は下方に進行する光に限られ、この光は排気ファン８２の下部や、排気側ダクト８０の底面に当たって遮られるので、外装筐体２の排気口２８まで到達しにくくなる。したがって、本実施形態によれば、外装筐体２外部への光漏れを効果的に防止することができる。
【００８９】
本発明は、以上で説明した実施形態によって限定されるものではなく、この実施形態を、本発明の目的を達成できる範囲内において変形したものであれば、本発明の技術的範囲に含まれる。
【００９０】
前記実施形態では、第１遠心力ファンとしてのシロッコファン７３の冷却対象を電源ユニット６とし、第２遠心力ファンとしてのシロッコファン７５の冷却対象を光源装置４１の発光管４１１としていたが、両シロッコファン７３，７５の冷却対象はこれに限定されず、例えば、液晶パネル４５１や光源装置４１の楕円リフレクタ４１２を両シロッコファン７３，７５によって冷却してもよい。
【００９１】
また、前記実施形態では、外装筐体２の底面に近い側に配置されるシロッコファン７３が吸気ダクト７４を介して電源ユニット６を冷却し、外装筐体２の底面から遠い側に配置されるシロッコファン７５が光源装置４１を冷却していたが、これとは逆に、シロッコファン７３が光源装置４１を冷却し、シロッコファン７５が吸気ダクト７４を介して電源ユニット６を冷却してもよい。
【００９２】
また、前記実施形態では、シロッコファン７３およびシロッコファン７５がともに吸気面を下方（外装筐体２の底面に向かう方向）に向けていたが、例えば、少なくともいずれかのシロッコファンの吸気面を上方（外装筐体２の上面に向かう方向）に向けてもよい。このとき、上方を向いた吸気面の上方にスペースを形成しておけば、当該スペースから冷却空気が吸引されて冷却対象の冷却に用いられる。
【００９３】
なお、前記実施形態において吸気面が下方を向いていたシロッコファン７３の吸気面を上方に向くようにした場合には、当該吸気面の上方には元々ファン間スペース７６３が形成されているので、シロッコファン７３は、シロッコファン７５と同様に、ファン間スペース７６３の空気を冷却空気として吸引して冷却対象の冷却に用いることができる。
【００９４】
また、前記実施形態において吸気面が下方を向いていたシロッコファン７５の吸気面を上方に向くようにした場合には、前記実施形態においてシロッコファン７５に冷却空気を供給するために両シロッコファン７３，７５間に形成されていたファン間スペース７６３を形成する必要はなく、両シロッコファン７３，７５を密着させて配置させてもよい。このとき、両シロッコファン７３，７５の間に第２吸振部材としてのクッションを配置すれば、両シロッコファン７３，７５の振動を効率的に吸収することができる。
なお、吸気面が上方を向くようにすると、シロッコファン７５は、上方スペースの空気を冷却空気として吸引することになるが、この場合、ファン固定部材に当該上方スペースに画像形成ユニット４、特に、光源装置４１にて温められた高温空気が流入するのを防止するための高温空気遮蔽部（前記実施形態における高温空気遮蔽部７６５Ａ，７６５Ｂに相当）を形成することが好ましい。このような高温空気遮蔽部によれば、シロッコファン７５が吸引する前記上方スペースの温度上昇を防止することができるので、シロッコファン７５の冷却効率を向上させることができる。
【００９５】
また、シロッコファン７３，７５の吸気面は、外装筐体２の底面に厳密に平行である必要はなく、外装筐体２の底面に対して所定角度（好ましくは鋭角）傾斜するように形成するようにしてもよい。
【００９６】
また、前記実施形態では、ファン固定部材７６が、第１ファン取付面７６１がシロッコファン７３の上面にクッション７９を介して取り付けられ、第２ファン取付面７６２がシロッコファン７５の下面に取り付けられるようにしてシロッコファン７３およびシロッコファン７５を相互に固定していたが、ファン固定部材７６としては、シロッコファン７３を外装筐体２の底面に対して固定でき、かつ、シロッコファン７３およびシロッコファン７５を相互に固定できさえすればよく、その固定方法は問わない。例えば、前記実施形態においてシロッコファン７５の下面に当接されていた第２ファン取付面７６２の代わりに、シロッコファン７５の上面や側面に当接される第２ファン取付部をファン固定部材７６に形成し、当該第２ファン取付部にてシロッコファン７５をファン固定部材７６に固定して、シロッコファン７５をシロッコファン７３に対して固定するようにしてもよい。
【００９７】
また、前記実施形態では、第２吸振部材としてのクッション７９がファン固定部材７６の第１ファン取付面７６１に取り付けられ、シロッコファン７５の振動をファン固定部材７６を介して間接的に吸収していたが、例えば、クッション７９をファン固定部材７６とシロッコファン７５との間に配置して、シロッコファン７５の振動を直接的に吸収させてもよい。
【００９８】
また、前記実施形態では、第１吸振部材としてのクッション７８を３つ設け、第２吸振部材としてのクッション７９を２つ設けていたが、これらのクッションの数は問わない。クッション７８は１つでも２つでも４つ以上でもよく、クッション７９は１つでも３つ以上でもよい。また、クッションの形状も前記実施形態におけるような直方体形状に限らず、例えば、シロッコファン７３またはシロッコファン７５の全周に沿うような円輪形状としてもよい。
【００９９】
また、前記実施形態では、シロッコファン７３およびシロッコファン７５の２つの遠心力ファンを積層する場合について説明したが、複数の遠心力ファンをファン固定部材によって相互に固定し、かつ、各遠心力ファンの振動を吸振部材にて吸収するという本発明の技術思想にしたがえば、３つ以上の遠心力ファンを積層配置することも容易である。
【０１００】
また、前記実施形態では、吸気ダクト７４が、内部において電源ブロック６１用の流路とランプ駆動ブロック６２用の流路とに分岐されていたが、吸気ダクト７４は、このような分岐構造を備えていなくてもよく、１本の流路のみを備える構造としてもよい。この場合は、１本の流路によって電源ブロック６１およびランプ駆動ブロック６２の２つのブロックを冷却することになり、冷却効率は若干低下するおそれがあるが、逆に吸気ダクト７４の構造が簡素化するので製造コストを低減することができる。
【０１０１】
また、前記実施形態では、吸気ダクト７４が、画像投射装置における画像形成ユニット４の下方のスペースを通過するように形成され、画像形成ユニット４の両側を接続可能としていたが、画像形成ユニット４の上方のスペースを通過するように形成して、画像形成ユニット４の両側を接続可能としてもよい。要するに、吸気ダクト７４が、画像投射装置の周囲のスペースを通過するように形成されて、画像投射装置の両側を接続可能としていれば、画像投射装置の両側のスペースを、それぞれ、電源ユニット６配置用、ファンユニット７７配置用に有効利用することができる。
【産業上の利用可能性】
【０１０２】
本発明は、プレゼンテーションやホームシアターに用いられるプロジェクタとして利用できる。
【図面の簡単な説明】
【０１０３】
【図１】本発明の実施形態に係るプロジェクタを前面上方側から見た斜視図である。
【図２】プロジェクタを背面上方側から見た斜視図である。
【図３】プロジェクタを背面下方側から見た斜視図である。
【図４】プロジェクタの外装筐体のアッパーケースを取り外した状態を示す斜視図である。
【図５】図４の状態から、外装筐体のフロントケース，リアケースおよび制御基板を取り外した状態を示す斜視図である。
【図６】図５の状態から、投射レンズおよび画像形成ユニットを取り外した状態を示す斜視図である。
【図７】プロジェクタの画像投射装置を模式的に示す平面図である。
【図８】プロジェクタの電源ユニットをプロジェクタの後方側から見た斜視図である。
【図９】プロジェクタの吸気ダクトを示す斜視図である。
【図１０】プロジェクタの吸気ダクトを示す分解斜視図である。
【図１１】プロジェクタにおける電源ユニットの冷却・排気構造を示す分解斜視図である。
【図１２】プロジェクタにおける電源ユニットの冷却・排気構造を示す斜視図である。
【図１３】プロジェクタの排気ユニットを示す斜視図である。
【図１４】プロジェクタにおける冷却・排気構造における具体的な空気の流れを示す斜視図である。
【図１５】プロジェクタの吸気側ダクトを示す断面図である。
【図１６】プロジェクタにおける排気ファンおよび排気側ダクトを示す断面図である。
【図１７】プロジェクタにおけるファンユニットの構成を示すための分解斜視図である。
【図１８】ファンユニットの詳細な構成を示すための斜視図である。
【図１９】ファンユニットの詳細な構成を示すための斜視図である。
【符号の説明】
【０１０４】
１…プロジェクタ，２…外装筐体，３…投射レンズ，４…画像形成ユニット，５…制御基板，６…電源ユニット，７…冷却ユニット，８…排気ユニット，２２Ａ２、２２Ａ３…吸気口，２８…排気口，４１…光源装置，６１…電源ブロック，６２…ランプ駆動ブロック，７３、７５…シロッコファン，７４…吸気ダクト，７６…ファン固定部材，７７…ファンユニット，７８、７９…クッション，８０…排気側ダクト，８２…排気ファン，８３…吸気側ダクト，４１１…発光管，４１２…楕円リフレクタ，４５１…液晶パネル，７６１…第１ファン取付面，７６２…第２ファン取付面７６３…ファン間スペース，７６５Ａ、７６５Ｂ…高温空気遮蔽部，７６６Ａ、７６６Ｂ、７６６Ｃ…開口部。
【図１】
2006343566.tif 000003
【図２】
2006343566.tif 000004
【図３】
2006343566.tif 000005
【図４】
2006343566.tif 000006
【図５】
2006343566.tif 000007
【図６】
2006343566.tif 000008
【図７】
2006343566.tif 000009
【図８】
2006343566.tif 000010
【図９】
2006343566.tif 000011
【図１０】
2006343566.tif 000012
【図１１】
2006343566.tif 000013
【図１２】
2006343566.tif 000014
【図１３】
2006343566.tif 000015
【図１４】
2006343566.tif 000016
【図１５】
2006343566.tif 000017
【図１６】
2006343566.tif 000018
【図１７】
2006343566.tif 000019
【図１８】
2006343566.tif 000020
【図１９】
2006343566.tif 000021